(57)【特許請求の範囲】
【請求項１】
表示画面に表示する表示対象画像と、前記表示画面の表示方向が撮像された撮像画像とに基づいて、前記表示対象画像内に切り抜き領域を設定する領域設定部と、
設定された切り抜き領域内に表示する表示内容を設定する表示内容設定部と、
設定された切り抜き領域内に設定された表示内容が表示された画像を、表示画面に表示させる表示制御部と、
を備え、
前記領域設定部は、
前記撮像画像から検出対象である対象物体を検出し、前記対象物体が検出された場合に、前記表示対象画像内における前記対象物体に対応する画像が占める領域を、前記切り抜き領域として設定し、
複数の対象物体が検出された場合には、検出された対象物体それぞれに対応する領域が重なる重なり領域を検出し、
検出された重なり領域のサイズと、複数の対象物体に対応する領域を結合する基準となる結合基準領域のサイズとを比較し、
比較結果に基づいて、前記重なり領域のサイズが前記結合基準領域のサイズよりも大きい場合、または、前記重なり領域のサイズが前記結合基準領域のサイズ以上である場合に、前記重なり領域を含む対象物体に対応する領域を結合し、
結合された結合領域を前記切り抜き領域として設定する、表示制御装置。
【請求項２】
前記重なり領域が検出されない場合において、前記領域設定部は、
検出された対象物体のサイズと、前記切り抜き領域を設定する基準となる設定基準領域のサイズとを比較し、
比較結果に基づいて、前記対象物体のサイズが前記設定基準領域のサイズよりも大きい場合、または、前記対象物体のサイズが前記設定基準領域のサイズ以上である場合に、前記切り抜き領域を設定する、請求項１に記載の表示制御装置。
【請求項３】
前記重なり領域が検出されない場合において、前記領域設定部は、
検出された対象物体の動き量と、対象物体が動いているかを判別する基準となる基準動き量とを比較し、
比較結果に基づいて、前記対象物体の動き量が前記基準動き量より小さい場合、または、前記対象物体の動き量が前記基準動き量以下である場合に、前記切り抜き領域を設定する、請求項２に記載の表示制御装置。
【請求項４】
前記領域設定部は、検出された対象物体の数と、前記重なり領域を含む対象物体に対応する領域を結合する結合処理を行う基準となる基準数とを比較し、
比較結果に基づいて、前記対象物体の数が前記基準数より大きい場合、または、前記対象物体の数が前記基準数以上である場合に、前記結合処理を行う、請求項１〜３のいずれか１項に記載の表示制御装置。
【請求項５】
前記表示内容設定部は、前記撮像画像から検出された対象物体のサイズに基づいて、表示内容を設定する、請求項１〜４のいずれか１項に記載の表示制御装置。
【請求項６】
前記表示内容設定部は、前記対象物体が人間である場合には、前記表示画面と前記対象物体との距離を示す距離情報に基づき特定される距離、または、検出された前記対象物体から推定される前記表示画面と前記対象物体との距離に基づいて、ユーザが操作することが可能な操作インタフェースを表示内容として設定する、請求項１〜３のいずれか１項に記載の表示制御装置。
【請求項７】
前記表示内容設定部は、
前記距離情報が示き特定される距離または前記推定される前記表示画面と前記対象物体との距離と、前記操作インタフェースを表示内容として設定する基準となる基準距離とを比較し、
比較結果に基づいて、前記距離情報が示き特定される距離または前記推定される前記表示画面と前記対象物体との距離が、前記基準距離よりも大きい場合、または、前記距離情報が示き特定される距離または前記推定される前記表示画面と前記対象物体との距離が、前記基準距離以上である場合に、前記操作インタフェースを表示内容として設定する、請求項６に記載の表示制御装置。
【請求項８】
前記表示内容設定部は、検出された対象物体の属性に基づいて、表示内容を設定する、請求項１〜５のいずれか１項に記載の表示制御装置。
【請求項９】
表示画面に表示する表示対象画像と、前記表示画面の表示方向が撮像された撮像画像とに基づいて、前記表示対象画像内に切り抜き領域を設定するステップと、
設定された切り抜き領域内に表示する表示内容を設定するステップと、
設定された切り抜き領域内に設定された表示内容が表示された画像を、表示画面に表示させるステップと、
を有し、
前記切り抜き領域を設定するステップでは、
前記撮像画像から検出対象である対象物体が検出され、前記対象物体が検出された場合に、前記表示対象画像内における前記対象物体に対応する画像が占める領域が、前記切り抜き領域として設定され、
複数の対象物体が検出された場合には、検出された対象物体それぞれに対応する領域が重なる重なり領域が検出され、
検出された重なり領域のサイズと、複数の対象物体に対応する領域を結合する基準となる結合基準領域のサイズとが比較され、
比較結果に基づいて、前記重なり領域のサイズが前記結合基準領域のサイズよりも大きい場合、または、前記重なり領域のサイズが前記結合基準領域のサイズ以上である場合に、前記重なり領域を含む対象物体に対応する領域が結合され、
結合された結合領域が前記切り抜き領域として設定される、表示制御方法。
【請求項１０】
表示画面に表示する表示対象画像と、前記表示画面の表示方向が撮像された撮像画像とに基づいて、前記表示対象画像内に切り抜き領域を設定するステップ、
設定された切り抜き領域内に表示する表示内容を設定するステップ、
設定された切り抜き領域内に設定された表示内容が表示された画像を、表示画面に表示させるステップ、
をコンピュータに実行させ、
前記切り抜き領域を設定するステップでは、
前記撮像画像から検出対象である対象物体が検出され、前記対象物体が検出された場合に、前記表示対象画像内における前記対象物体に対応する画像が占める領域が、前記切り抜き領域として設定され、
複数の対象物体が検出された場合には、検出された対象物体それぞれに対応する領域が重なる重なり領域が検出され、
検出された重なり領域のサイズと、複数の対象物体に対応する領域を結合する基準となる結合基準領域のサイズとが比較され、
比較結果に基づいて、前記重なり領域のサイズが前記結合基準領域のサイズよりも大きい場合、または、前記重なり領域のサイズが前記結合基準領域のサイズ以上である場合に、前記重なり領域を含む対象物体に対応する領域が結合され、
結合された結合領域が前記切り抜き領域として設定される、プログラム。
【発明の詳細な説明】
【技術分野】
【０００１】
本開示は、表示制御装置、表示制御方法、およびプログラムに関する。
【背景技術】
【０００２】
近年、広告など様々な情報を表示画面に表示させることが可能な表示装置が、様々な場所に設置されている。電子広告に係る技術としては、例えば特許文献１に記載の技術が挙げられる。
【先行技術文献】
【特許文献】
【０００３】
【特許文献１】特開２０１０−１０２２３５号公報
【発明の概要】
【発明が解決しようとする課題】
【０００４】
例えば特許文献１に示す技術が用いられる電子広告システムでは、画像を表示画面に表示する表示装置にカメラやセンサを設けることによって、当該表示画面の前に立つユーザの属性や距離を認識し、認識結果に基づく表示内容を表示画面に表示させる。よって、例えば上記のような電子広告システムが用いられる場合には、表示画面をみているユーザに合う広告（表示内容の一例）を表示画面に表示させることができる可能性はある。
【０００５】
しかしながら、例えば特許文献１に示す技術を用いる場合には、認識対象のユーザが一人であっても複数であっても、１つの認識結果に対応する表示内容しか表示画面に表示させることはできない。よって、例えば特許文献１に記載の技術を用いたとしても、表示画面に映る画像（動画像または静止画像。以下、同様とする。）をみている１または２以上のユーザそれぞれに、表示画面に表示されている表示内容が自己に対するものであると認識させることができるとは限らない。
【０００６】
本開示では、表示画面に映る画像をみるユーザに、表示画面に表示されている表示内容が自己に対するものであると認識させることが可能な、新規かつ改良された表示制御装置、表示制御方法、およびプログラムを提案する。
【課題を解決するための手段】
【０００７】
本開示によれば、表示画面に表示する表示対象画像と、上記表示画面の表示方向が撮像された撮像画像とに基づいて、上記表示対象画像内に切り抜き領域を設定する領域設定部と、設定された切り抜き領域内に表示する表示内容を設定する表示内容設定部と、設定された切り抜き領域内に設定された表示内容が表示された画像を、表示画面に表示させる表示制御部とを備える、表示制御装置が提供される。
【０００８】
また、本開示によれば、表示画面に表示する表示対象画像と、上記表示画面の表示方向が撮像された撮像画像とに基づいて、上記表示対象画像内に切り抜き領域を設定するステップと、設定された切り抜き領域内に表示する表示内容を設定するステップと、設定された切り抜き領域内に設定された表示内容が表示された画像を、表示画面に表示させるステップとを有する、表示制御方法が提供される。
【０００９】
また、本開示によれば、表示画面に表示する表示対象画像と、上記表示画面の表示方向が撮像された撮像画像とに基づいて、上記表示対象画像内に切り抜き領域を設定するステップ、設定された切り抜き領域内に表示する表示内容を設定するステップ、設定された切り抜き領域内に設定された表示内容が表示された画像を、表示画面に表示させるステップ、をコンピュータに実行させるためのプログラムが提供される。
【発明の効果】
【００１０】
本開示によれば、表示画面に映る画像をみるユーザに、表示画面に表示されている表示内容が自己に対するものであると認識させることができる。
【図面の簡単な説明】
【００１１】
【図１Ａ】本実施形態に係る表示制御装置における本実施形態に係る表示制御方法に係る処理の概要を説明するための説明図である。
【図１Ｂ】本実施形態に係る表示制御装置における本実施形態に係る表示制御方法に係る処理の概要を説明するための説明図である。
【図２】本実施形態に係る表示制御装置における処理の一例を示す流れ図である。
【図３】本実施形態に係る表示制御装置における、本実施形態に係る表示制御方法に係る処理の第１の例を示す流れ図である。
【図４】本実施形態に係る表示制御装置における、本実施形態に係る表示制御方法に係る処理の第３の例を示す流れ図である。
【図５Ａ】本実施形態に係る表示制御装置における、本実施形態に係る表示制御方法の第３の例に係る処理の結果の一例を示す説明図である。
【図５Ｂ】本実施形態に係る表示制御装置における、本実施形態に係る表示制御方法の第３の例に係る処理の結果の一例を示す説明図である。
【図６】本実施形態に係る表示制御装置における、本実施形態に係る表示制御方法に係る処理の第４の例を示す流れ図である。
【図７】本実施形態に係る表示制御装置における、本実施形態に係る表示制御方法に係る処理の第５の例を示す流れ図である。
【図８Ａ】本実施形態に係る表示制御装置における、本実施形態に係る表示制御方法の第５の例に係る処理の結果の一例を示す説明図である。
【図８Ｂ】本実施形態に係る表示制御装置における、本実施形態に係る表示制御方法の第５の例に係る処理の結果の一例を示す説明図である。
【図９】本実施形態に係る表示制御装置の構成の一例を示すブロック図である。
【図１０】本実施形態に係る表示制御装置のハードウェア構成の一例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下では、下記に示す順序で説明を行う。
１．本実施形態に係る表示制御方法
２．本実施形態に係る表示制御装置
３．本実施形態に係るプログラム
【００１４】
（本実施形態に係る表示制御方法）
本実施形態に係る表示制御装置の構成について説明する前に、本実施形態に係る表示制御方法について説明する。また、以下では、本実施形態に係る表示制御装置が、本実施形態に係る表示制御方法に係る処理を行うものとして説明する。
【００１５】
上述したように、例えば特許文献１に記載の技術のように、表示画面の前に立つユーザの属性や距離などに基づく１つの認識結果に対応する表示内容を表示画面に表示させる場合には、表示画面をみているユーザに合う表示内容を表示画面に表示させることができる可能性はある。しかしながら、上記のように、認識結果に基づく表示内容を表示画面に表示させたとしても、例えば下記に示すような問題が生じうる。
【００１６】
・表示画面の前に複数のユーザが存在する場合、表示画面に表示された表示内容が誰に対するものであるかを、それぞれのユーザに判別させることは困難である
・例えば表示画面のサイズが大きい場合、表示画面からの距離が大きな位置にいるユーザは、表示内容を認識することができるが、表示画面からの距離が小さな位置にいるユーザは、表示内容を認識することが困難である
【００１７】
したがって、例えば特許文献１に記載の技術を用いたとしても、表示画面に映る画像をみている１または２以上のユーザそれぞれに、表示画面に表示されている表示内容が自己に対するものであると認識させることができるとは限らない。
【００１８】
［本実施形態に係る表示制御方法に係る処理の概要］
そこで、本実施形態に係る表示制御装置は、表示画面に表示する対象の画像（以下、「表示対象画像」と示す。）内に、表示画面をみうるユーザに対応する表示領域を設定する。そして、本実施形態に係る表示制御装置は、表示対象画像から設定された表示領域部分を切り抜いて、切り抜かれた表示領域部分に表示内容が表示された画像を、表示画面に表示させる。以下では、本実施形態に係る表示画面をみうるユーザに対応する表示領域（後述する対象物体に対応する表示領域）を、「切り抜き領域」と示す。
【００１９】
ここで、本実施形態に係る表示制御装置が画像を表示させる表示画面としては、例えば、本実施形態に係る表示制御装置とネットワークを介して（または、直接的に）接続された外部表示装置の表示画面、または、本実施形態に係る表示制御装置が備える表示部（後述する）の表示画面が挙げられる。また、本実施形態に係るネットワークとしては、例えば、ＬＡＮ（Local  Area  Network）やＷＡＮ（Wide  Area  Network）などの有線ネットワーク、無線ＬＡＮ（Wireless  Local  Area  Network）や基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【００２０】
また、本実施形態に係る表示対象画像としては、例えば、ネットワークを介して（または直接的に）外部装置から送信された画像信号が示す画像が挙げられるが、本実施形態に係る表示対象画像は、上記に限られない。例えば、本実施形態に係る表示対象画像は、本実施形態に係る表示制御装置がテレビ塔などから送信された放送波を（直接的、またはセットトップボックスなどを介して間接的に）受信してデコードした結果得られる画像信号が示す画像であってもよい。また、本実施形態に係る表示制御装置は、例えば、記憶部（後述する）や、表示制御装置から着脱可能な外部記録媒体に記憶された画像データをデコードすることにより得た画像信号が示す画像を、表示対象画像とすることも可能である。
【００２１】
より具体的には、本実施形態に係る表示制御装置は、表示対象画像と、表示画面の表示方向が撮像された撮像画像とに基づいて、切り抜き領域を設定する（切り抜き領域設定処理）。また、本実施形態に係る表示制御装置は、設定された切り抜き領域内に表示する表示内容を設定する（表示内容設定処理）。そして、本実施形態に係る表示制御装置は、設定された切り抜き領域内に設定された表示内容が表示された画像を、表示画面に表示させる（表示制御処理）。
【００２２】
ここで、本実施形態に係る撮像画像は、上記のように表示画面の表示方向が撮像された画像である。本実施形態に係る表示制御装置が画像を表示させる表示画面が外部表示装置の表示画面である場合には、例えば、外部表示装置が備える撮像デバイスや、当該外部表示装置と接続された撮像装置によって、撮像が行われる。そして、本実施形態に係る表示制御装置は、上記外部表示装置または上記撮像装置から送信された、撮像画像を示す画像信号を受信することによって、撮像画像を取得する。また、本実施形態に係る表示制御装置が画像を表示させる表示画面が表示部（後述する）の表示画面である場合には、例えば、本実施形態に係る表示制御装置が備える撮像部（後述する）や、本実施形態に係る表示制御装置に接続された撮像装置によって、撮像が行われる。そして、本実施形態に係る表示制御装置は、上記撮像部（後述する）が撮像を行うことによって、または、上記撮像装置から送信された撮像画像を示す画像信号を受信することによって、撮像画像を取得する。なお、本実施形態に係る表示制御装置における撮像画像の取得方法が、上記に限られないことは、言うまでもない。
【００２３】
図１Ａ、図１Ｂは、本実施形態に係る表示制御装置における本実施形態に係る表示制御方法に係る処理の概要を説明するための説明図である。図１Ａ、図１Ｂに示す“Ａ”は、表示対象画像の一例を示している。また、図１Ａに示す“Ｂ”、“Ｃ”は、撮像画像から検出する検出対象の物体（以下、「対象物体」と示す。）の一例を示している。ここで、図１Ａでは、ユーザ（人間）が対象物体である場合の一例を示しており、また、２人のユーザが撮像画像に含まれる場合を示している。また、図１Ｂに示す“ＡＲ１”は、図１Ａに示す“Ａ”に対応する切り抜き領域を示しており、図１Ｂに示す“ＡＲ２”は、図１Ａに示す“Ｂ”に対応する切り抜き領域を示している。
【００２４】
本実施形態に係る表示制御装置は、例えば撮像画像から対象物体を検出する。ここで、本実施形態に係る表示制御装置は、例えば、顔検出処理やエッジ検出処理などの処理を撮像画像に対して行うことによって、撮像画像からユーザ（対象物体の一例）を検出する。なお、本実施形態に係る表示制御装置における対象物体の検出方法は、上記に限られない。例えば、外部装置において対象物体が検出される場合には、本実施形態に係る表示制御装置は、当該外部装置から送信される検出結果を用いることによって、上記顔検出処理などの処理を撮像画像に対して行うことなく撮像画像から対象物体を検出することも可能である。
【００２５】
なお、本実施形態に係る表示制御装置が撮像画像から検出する対象物体は、図１Ａに示すようなユーザに限られない。例えば、本実施形態に係る表示制御装置は、任意の物体検出処理を用いることによって、車や鞄などの任意の物体を対象物体として撮像画像から検出することが可能である。以下では、本実施形態に係る表示制御装置が、ユーザを対象物体とする場合を主に例に挙げて説明する。
【００２６】
撮像画像から対象物体が検出されると、本実施形態に係る表示制御装置は、表示対象画像内での対象物体に対応する画像が占める領域を特定する。そして、本実施形態に係る表示制御装置は、特定された領域を切り抜き領域“ＡＲ１”、“ＡＲ２”として設定する。
【００２７】
ここで、本実施形態に係る表示制御装置は、例えば、表示対象画像と撮像画像を合成した場合における表示対象画像内での対象物体に対応する画像が占める領域を、切り抜き領域として設定するが、切り抜き領域の設定方法は、上記に限られない。例えば、本実施形態に係る表示制御装置は、表示画面と対象物体との距離を示す距離情報など、対象物体に関する情報を用いることによって、切り抜き領域を設定することも可能である。距離情報を用いる場合には、本実施形態に係る表示制御装置は、例えば、距離情報が示す距離に応じた大きさの切り抜き領域を設定する。本実施形態に係る表示制御装置は、例えば、外部表示装置が備える距離センサや赤外線センサなどの各種検出センサや当該外部表示装置と接続された各種検出センサ、または、本実施形態に係る表示制御装置が備える検出部（後述する）や表示制御装置と接続された各種検出センサから、上記対象物体に関する情報を取得する。
【００２８】
また、本実施形態に係る表示制御装置は、例えば、検出された対象物体の数に基づいて切り抜き領域を設定してもよい。以下では、例えば、対象物体の形や属性、数などのような撮像画像を処理することによって得られる情報や、距離情報などのような検出センサにより得られる情報など、撮像画像に含まれる対象物体に関する情報を、総称して「対象物体情報」と示す場合がある。
【００２９】
なお、本実施形態に係る表示制御装置は、例えば図１Ａに示すような、表示対象画像と、撮像画像から検出された対象物体に対応する画像との合成を行わなくても、表示対象画像内での対象物体に対応する画像が占める領域の特定することが可能である。よって、本実施形態に係る表示制御装置は、例えば図１Ａに示すような画像の合成を行わなくてもよい。
【００３０】
切り抜き領域“ＡＲ１”、“ＡＲ２”が設定されると、本実施形態に係る表示制御装置は、例えば図１Ｂに示すように、設定された切り抜き領域“ＡＲ１”、“ＡＲ２”に設定された表示内容に対応する画像が合成された画像（切り抜き領域内に設定された表示内容が表示された画像の一例）を、表示画面に表示させる。
【００３１】
ここで、図１Ｂでは、本実施形態に係る表示制御装置が、切り抜き領域“ＡＲ１”に広告を表示させ、また、切り抜き領域“ＡＲ２”にショッピングモールの構内図を表示させている例を示している。なお、本実施形態に係る表示制御装置が設定した切り抜き領域に表示させる表示内容は、図１Ｂに示すような広告や構内図に限られない。例えば、本実施形態に係る表示制御装置は、ユーザ（対象物体の一例）の発言履歴や購入履歴などの履歴情報の内容を、切り抜き領域に表示させる表示内容として設定することもできる。また、例えば本実施形態に係る表示制御装置がテレビ会議システムに適用される場合には、本実施形態に係る表示制御装置は、例えば、参加者（ユーザの一例）の資料を切り抜き領域に表示させたり、会話内容を切り抜き領域に表示させることも可能である。
【００３２】
本実施形態に係る表示制御装置は、例えば、顔認証などの任意の認証技術を用いて対象物体としてのユーザを識別することによって、識別されたユーザに対応する履歴情報などの内容を切り抜き領域に表示させる表示内容として設定する。ここで、本実施形態に係る表示制御装置は、例えば、サーバなどの外部装置や、本実施形態に係る表示制御装置が備える記憶部（後述する）から、特定されたユーザに対応する履歴情報などを取得するが、本実施形態に係る表示制御装置における履歴情報などの取得方法は、上記に限られない。なお、上述したように、本実施形態に係る表示制御装置は、任意の物体を対象物体として撮像画像から検出することが可能である。よって、本実施形態に係る表示制御装置は、任意の識別技術を用いて検出された対象物体を識別することによって、検出された対象物体それぞれに関する情報の内容を、対応する切り抜き領域に表示させる表示内容として設定することが可能である。
【００３３】
さらに、本実施形態に係る表示制御装置は、例えば、検出された対象物体の属性（例えば、ユーザが対象物体の場合には、男女や、年齢層など）や、検出された対象物体のサイズ（例えば、後述する検出された対象物体に対応する面積Ｓ）などに基づいて、表示内容を変えることも可能である。ここで、対象物体の属性は、例えば、画像から特徴点を検出して検出された特徴点に基づき判定を行う画像処理など、任意の画像処理技術を用いて判定することが可能である。また、対象物体の属性に基づいて表示内容を変える場合、表示制御装置１００は、例えば、属性の判定結果と、属性と表示内容に対応するデータとを対応付けたテーブルなどとを用いて、表示内容を設定する。なお、検出された対象物体のサイズに基づく表示内容の変更に係る処理の一例については、後述する。
【００３４】
また、図１Ｂでは、本実施形態に係る表示制御装置が、検出された２つの対象物体に対応する切り抜き領域“ＡＲ１”、“ＡＲ２”それぞれに相異なる情報の内容を設定している例を示しているが、本実施形態に係る表示制御装置が設定した切り抜き領域に表示させる表示内容は、上記に限られない。例えば、本実施形態に係る表示制御装置は、複数の対象物体それぞれに対応する切り抜き領域それぞれに表示させる表示内容として、同一の内容を設定することも可能である。上記同一の内容は、例えば、予め規定されたものであってもよいし、撮像画像から検出された複数の対象物体それぞれの属性を例えば平均などの統計手法を用いて総合評価することによって設定されたものであってもよい。
【００３５】
また、図１Ｂでは、本実施形態に係る表示制御装置が、切り抜き領域“ＡＲ１”、“ＡＲ２”に表示内容の一部を表示させている例を示しているが、本実施形態に係る表示制御装置が切り抜き領域に表示させる表示内容は、上記に限られない。例えば、本実施形態に係る表示制御装置は、設定した切り抜き領域内に設定された表示内容の全体を表示させてもよい。なお、図１Ｂに示す例では、ユーザ（対象物体）が移動することによって、設定された表示内容の他の部分が表示されることとなる。
【００３６】
本実施形態に係る表示制御装置は、例えば図１Ｂに示すように、撮像画像から検出された対象物体に対応する切り抜き領域に設定された表示内容が表示された画像を、表示画面に表示させる。例えば図１Ｂに示すように、検出された対象物体に対応する切り抜き領域“ＡＲ１”、“ＡＲ２”それぞれに表示内容が表示された画像が表示画面に表示されることによって、例えば図１Ａに示す“Ｂ”に対応するユーザは、切り抜き領域“ＡＲ１”に表示された内容が、自己に対するものであると認識することが可能となる。同様に、例えば図１Ａに示す“Ｃ”に対応するユーザは、切り抜き領域“ＡＲ２”に表示された内容が、自己に対するものであると認識することが可能となる。
【００３７】
したがって、本実施形態に係る表示制御装置が、例えば、（１）切り抜き領域設定処理、（２）表示内容設定処理、および（３）表示制御処理を行うことによって、表示画面に映る画像をみるユーザに、表示画面に表示されている表示内容が自己に対するものであると認識させることができる。
【００３８】
［本実施形態に係る表示制御方法に係る処理の具体例］
次に、本実施形態に係る表示制御方法に係る処理について、より具体的に説明する。以下では、本実施形態に係る表示制御装置（以下、「表示制御装置１００」と示す場合がある。）が、本実施形態に係る表示制御方法に係る処理を行うものとして説明する。
【００３９】
図２は、本実施形態に係る表示制御装置１００における処理の一例を示す流れ図である。ここで、図２は、表示制御装置１００における処理の大枠を示している。なお、図２に示す処理の具体例については、後述する。
【００４０】
表示制御装置１００は、表示対象画像に切り抜き領域を設定する（Ｓ１００。切り抜き領域設定処理）。ここで、表示制御装置１００は、表示対象画像と撮像画像とに基づいて切り抜き領域を設定する。より具体的には、表示制御装置１００は、例えば、撮像画像を処理することによって得られる情報や、各種センサによって得られた対象物体に関する情報などの、対象物体情報を用いることによって、切り抜き領域を設定する。なお、本実施形態に係る表示制御装置１００における切り抜き領域の設定に係る処理の具体例については、後述する。
【００４１】
ステップＳ１００において切り抜き領域が設定されると、表示制御装置１００は、設定した切り抜き領域それぞれに表示する表示内容を設定する（Ｓ１０２。表示内容設定処理
）。ここで、表示制御装置１００は、例えば、予め規定された表示内容を設定してもよいし、または、対象物体の属性や対象物体の識別結果に対応する表示内容を設定してもよい。また、複数の切り抜き領域が設定される場合には、表示制御装置１００は、例えば、設定された切り抜き領域それぞれに同一の表示内容を設定してもよいし、相異なる表示内容を設定してもよい。
【００４２】
ステップＳ１０２において表示内容が設定されると、表示制御装置１００は、ステップＳ１００において設定された切り抜き領域内に、ステップＳ１０２において設定された表示内容が表示された画像を、表示画面に表示させる（Ｓ１０４。表示制御処理）。ここで、表示制御装置１００が外部表示装置の表示画面に上記画像を表示させる場合には、表示制御装置１００は、例えば、上記画像を示す画像信号を外部表示装置へ送信することによって、外部表示装置に上記画像を表示させる。また、表示制御装置１００が表示部（後述する）の表示画面に上記画像を表示させる場合には、表示制御装置１００は、表示部（後述）に上記画像を示す画像信号を伝達することによって、上記画像を表示させる。
【００４３】
表示制御装置１００は、例えば図２に示す処理を行うことによって、本実施形態に係る表示制御方法に係る（１）の処理（切り抜き領域設定処理）〜（３）の処理（表示制御処理）を実現し、撮像画像から検出された対象物体に対応する切り抜き領域に設定された表示内容が表示された画像を、表示画面に表示させる。
【００４４】
よって、表示制御装置１００は、例えば図２に示す処理を行うことによって、表示画面に映る画像をみるユーザに、表示画面に表示されている表示内容が自己に対するものであると認識させることができる。なお、例えば図２に示す本実施形態に係る表示制御方法に係る処理は、１回行われれば再度行われないという類の処理ではなく、表示制御装置１００は、例えば、定期的に、または、非定期的に、本実施形態に係る表示制御方法に係る処理を繰り返し行う。つまり、表示制御装置１００は、リアルタイム（または、ほぼリアルタイム）に処理を行うことが可能である。よって、表示制御装置１００は、設定する切り抜き領域に表示する表示内容をリアルタイム（または、ほぼリアルタイム）に変化させることができる。
【００４５】
以下、図２に示す本実施形態に係る表示制御方法に係る処理について、より具体的に説明する。
【００４６】
［１］第１の例
図３は、本実施形態に係る表示制御装置１００における、本実施形態に係る表示制御方法に係る処理の第１の例を示す流れ図である。
【００４７】
表示制御装置１００は、対象物体が検出されたか否かを判定する（Ｓ２００）。ここで、表示制御装置１００は、ハードウェアおよび／またはソフトウェアにより撮像画像を画像解析することによって、撮像画像から対象物体を検出してステップＳ２００の判定を行うが、本実施形態に係る表示制御装置１００における処理は、上記に限られない。例えば、外部表示装置に接続された物体検知センサや表示制御装置１００に接続された物体検知センサなどのような、外部検出装置において対象物体が検出される場合には、表示制御装置１００は、当該外部検出装置から送信される検出結果に基づいて、ステップＳ２００の判定を行うことも可能である。
【００４８】
ステップＳ２００において対象物体が検出されたと判定されない場合には、表示制御装置１００は、切り抜き領域を設定しない（Ｓ２１０）。そして、表示制御装置１００は、後述するステップＳ２１２の処理を行う。
【００４９】
また、ステップＳ２００において対象物体が検出されたと判定された場合には、表示制御装置１００は、対象物体情報を検出する（Ｓ２０２）。ここで、表示制御装置１００は、撮像画像を処理することや、外部の検出センサや検出部（後述する）が検出した検出結果を示す情報を用いることによって、対象物体情報を検出する。本実施形態に係る表示制御方法に係る処理の第１の例に係る対象物体情報としては、例えば、対象物体の形や、対象物体の属性、表示画面と対象物体との距離を示す情報などが挙げられる。
【００５０】
ステップＳ２０２の処理が行われると、表示制御装置１００は、検出された対象物体に対応する面積（検出された対象物体のサイズ）Ｓと、切り抜き領域を設定する基準となる設定基準領域の面積（設定基準領域のサイズ）Ｓｍｉｎとを比較する。そして、表示制御装置１００は、面積Ｓが面積Ｓｍｉｎより大きいか否かを判定する（Ｓ２０４）。ここで、本実施形態に係る設定基準領域の面積Ｓｍｉｎは、例えば、予め規定された固定値であってもよいし、表示制御装置１００のユーザが変更可能な可変値であってもよい。
【００５１】
なお、図３では、表示制御装置１００が、ステップＳ２０４において面積Ｓが面積Ｓｍｉｎより大きいか否かを判定する例を示しているが、ステップＳ２０４の処理は、上記に限られない。例えば、本実施形態に係る表示制御装置１００は、ステップＳ２０４において、面積Ｓが面積Ｓｍｉｎ以上であるか否かを判定してもよい（以下、同様とする。）。
【００５２】
ここで、表示制御装置１００は、ステップＳ２０２において検出された対象物体の形全体の面積を、対象物体に対応する面積Ｓとするが、本実施形態に係る表示制御装置１００における処理は、上記に限られない。例えば、対象物体がユーザの場合、表示制御装置１００は、ユーザの顔の面積など、態様物体の一部の面積を、本実施形態に係る検出された対象物体に対応する面積とすることも可能である。なお、上述したように、本実施形態に係る対象物体は、ユーザに限られない。つまり、対象物体が、例えば鞄や車などであっても、表示制御装置１００は、対象物体の一部または全部の面積を、本実施形態に係る検出された対象物体に対応する面積とすることができる。
【００５３】
ステップＳ２０４において面積Ｓが面積Ｓｍｉｎより大きいと判定されない場合には、表示制御装置１００は、切り抜き領域を設定しない（Ｓ２１０）。そして、表示制御装置１００は、後述するステップＳ２１２の処理を行う。
【００５４】
また、ステップＳ２０４において面積Ｓが面積Ｓｍｉｎより大きいと判定された場合には、表示制御装置１００は、対象物体の一部または全部を切り抜き領域として設定する（Ｓ２０６）。
【００５５】
ステップＳ２０６の処理が行われると、表示制御装置１００は、ステップＳ２０６において設定された切り抜き領域に表示する表示内容を設定する（Ｓ２０８）。ここで、表示制御装置１００は、例えば、予め規定された表示内容を設定してもよいし、または、例えばステップＳ２０２において検出された対象物体情報を用いて、対象物体の属性や対象物体の識別結果に対応する表示内容を設定してもよい。また、複数の切り抜き領域が設定される場合には、表示制御装置１００は、例えば、設定された切り抜き領域それぞれに同一の表示内容を設定してもよいし、相異なる表示内容を設定してもよい。
【００５６】
ステップＳ２０８および／またはステップＳ２１０の処理が行われると、表示制御装置１００は、表示画面への画像の表示を制御する（Ｓ２１２）。例えば、撮像画像に対象物体が含まれていない場合や検出された対象物体の全てに対して切り抜き領域が設定されなかった場合には、表示制御装置１００は、表示対象画像そのものを表示画面に表示させる（通常の表示）。また、検出された対象物体のいずれかに切り抜き領域が設定された場合には、表示制御装置１００は、ステップＳ２０６において設定された切り抜き領域内に、ステップＳ２０８設定された表示内容が表示された画像を、表示画面に表示させる。
【００５７】
表示制御装置１００は、例えば図３に示す処理を行うことによって、撮像画像から検出された対象物体に対応する切り抜き領域に設定された表示内容が表示された画像を、表示画面に表示させる。ここで、図３に示す処理では、例えばステップＳ２００〜Ｓ２０６、Ｓ２１０の処理が、（１）の処理（切り抜き領域設定処理）に該当し、ステップＳ２０８の処理が（２）の処理（表示内容設定処理）に該当する。そして、ステップＳ２１２の処理が（３）の処理（表示制御処理）に該当する。
【００５８】
したがって、表示制御装置１００は、例えば図３に示す処理を行うことによって、表示画面に映る画像をみるユーザに、表示画面に表示されている表示内容が自己に対するものであると認識させることができる。
【００５９】
なお、図３では、表示制御装置１００が、検出された対象物体に対応する面積（検出された対象物体のサイズ）Ｓと、設定基準領域の面積（設定基準領域のサイズ）Ｓｍｉｎとの比較結果に基づいて、切り抜き領域を選択的に設定する例を示したが、本実施形態に係る表示制御装置１００における本実施形態に係る表示制御方法の第１の例に係る処理は、図３に示す処理に限られない。例えば、表示制御装置１００は、ステップＳ２０４において、対象物体情報としての距離情報および対象物体の数に基づいて、表示画面からの距離が所定の基準距離より小さい対象物体の数（または、表示画面からの距離が所定の基準距離以下の対象物体の数）Ｈｎが、切り抜き領域の設定基準数Ｈｎ_ｍａｘより大きいか否かの判定結果に基づいて、切り抜き領域を選択的に設定してもよい。上記の場合には、表示制御装置１００は、例えば、対象物体の数Ｈｎが切り抜き領域の設定基準数Ｈｎ_ｍａｘより大きい場合（または、対象物体の数Ｈｎが切り抜き領域の設定基準数Ｈｎ_ｍａｘ以上の場合）に、切り抜き領域を設定する。ここで、本実施形態に係る設定基準数Ｈｎ_ｍａｘは、例えば、予め規定された固定値であってもよいし、表示制御装置１００のユーザが変更可能な可変値であってもよい。
【００６０】
［２］第２の例
対象物体と表示画面との距離が小さいほど切り抜き領域の大きさが大きくなるなど、例えば対象物体と表示画面との距離に応じて、表示制御装置１００が設定する切り抜き領域の大きさは異なる。ここで、例えば図１Ｂの切り抜き領域“ＡＲ１”、“ＡＲ２”に示すように切り抜き領域の大きさが異なるときには、より大きな切り抜き領域ほど、ユーザに認識させることが可能な情報の情報量は多くなる。そこで、表示制御装置１００は、本実施形態に係る表示制御方法の第２の例に係る処理として、例えば、切り抜き領域の大きさに基づいて、切り抜き領域に表示させる情報を変える処理を行う。
【００６１】
より具体的には、表示制御装置１００は、基本的に図３に示す処理と同様の処理を行いつつ、検出された対象物体に対応する面積（検出された対象物体のサイズ）Ｓ、設定基準領域の面積（設定基準領域のサイズ）Ｓｍｉｎ、および、表示内容の切替を行う基準となる基準領域の面積Ｓｃｈａｎｇｅに基づいて、対象物体ごとに下記の（ａ）〜（ｃ）のいずれかの処理を行う。また、表示制御装置１００は、撮像画像から対象物体が検出されない場合には、図３のステップＳ２００およびステップＳ２１０に示すように、切り抜き領域を設定しない。
【００６２】
ここで、本実施形態に係る表示内容の切替を行う基準となる基準領域の面積Ｓｃｈａｎｇｅは、例えば、予め規定された固定値であってもよいし、表示制御装置１００のユーザが変更可能な可変値であってもよい。
【００６３】
また、対象物体と表示画面との距離が小さいほど切り抜き領域の大きさが大きくなる場合には、設定基準領域の面積Ｓｍｉｎは、対象物体と表示画面との距離が大きいと判定するための閾値に相当する。また、対象物体と表示画面との距離が小さいほど切り抜き領域の大きさが大きくなる場合には、表示内容の切替を行う基準となる基準領域の面積Ｓｃｈａｎｇｅは、対象物体と表示画面との距離が小さいと判定するための閾値に相当する。
【００６４】
（ａ）Ｓ＜Ｓｍｉｎの場合の処理（または、Ｓ≦Ｓｍｉｎの場合の処理）
表示制御装置１００は、図３のステップＳ２０４およびステップＳ２１０に示すように、切り抜き領域を設定しない。
【００６５】
（ｂ）Ｓｍｉｎ≦Ｓ≦Ｓｃｈａｎｇｅの場合の処理（または、Ｓｍｉｎ＜Ｓ＜Ｓｃｈａｎｇｅの場合の処理）
表示制御装置１００は、図３のステップＳ２０４およびステップＳ２０６に示すように、切り抜き領域を設定する。そして、表示制御装置１００は、設定された切り抜き領域が大きくないと判定された場合に表示する表示内容を設定する。なお、表示制御装置１００は、さらに対象物体情報を用いることによって、例えば対象物体の属性に応じた表示内容を設定してもよい。
【００６６】
（ｃ）Ｓ＞Ｓｃｈａｎｇｅの場合の処理（または、Ｓ≧Ｓｃｈａｎｇｅの場合の処理）
表示制御装置１００は、図３のステップＳ２０４およびステップＳ２０６に示すように、切り抜き領域を設定する。そして、表示制御装置１００は、設定された切り抜き領域が大きいと判定された場合に表示する表示内容を設定する。なお、表示制御装置１００は、さらに対象物体情報を用いることによって、例えば対象物体の属性に応じた表示内容を設定してもよい。
【００６７】
表示制御装置１００は、基本的に図３に示す処理と同様の処理を行いつつ、撮像画像に対象物体が存在する場合には、（１）の処理（切り抜き領域設定処理）および（２）の処理（表示内容設定処理）として、上記（ａ）の処理〜（ｃ）の処理のいずれかの処理を行う。また、表示制御装置１００は、図３に示す処理と同様に、表示画面への画像の表示を制御する。
【００６８】
したがって、本実施形態に係る表示制御方法の第２の例に係る処理を行うことによって、表示制御装置１００は、表示画面に映る画像をみるユーザに、表示画面に表示されている表示内容が自己に対するものであると認識させることができる。
【００６９】
なお、本実施形態に係る表示制御装置１００における、本実施形態に係る表示制御方法の第２の例に係る処理は、上記に示す処理に限られない。例えば、表示制御装置１００は、表示内容の切替を行う基準となる基準領域の面積Ｓｃｈａｎｇｅを複数設定することによって、表示内容を多段階に切り替えることも可能である。
【００７０】
［３］第３の例
上記本実施形態に係る表示制御方法の第１の例に係る処理、第２の例に係る処理では、検出された対象物体に対応する面積（検出された対象物体のサイズ）に基づいて、切り替え領域を設定する処理の一例を示した。しかしながら、本実施形態に係る表示制御方法に係る処理は、上記に限られない。例えば、対象物体が大きく動いている場合には、切り抜き領域を設定して当該切り抜き領域に表示内容を設定したとしても、ユーザが当該表示内容をみていない可能性がある。そこで、次に、本実施形態に係る表示制御方法の第３の例に係る処理として、対象物体の動きに合わせて、選択的に切り替え領域を設定する処理の一例を説明する。
【００７１】
図４は、本実施形態に係る表示制御装置１００における、本実施形態に係る表示制御方法に係る処理の第３の例を示す流れ図である。
【００７２】
表示制御装置１００は、図３のステップＳ２００と同様に、対象物体が検出されたか否かを判定する（Ｓ３００）。
【００７３】
ステップＳ３００において対象物体が検出されたと判定されない場合には、表示制御装置１００は、切り抜き領域を設定しない（Ｓ３１０）。そして、表示制御装置１００は、後述するステップＳ３１２の処理を行う。
【００７４】
また、ステップＳ３００において対象物体が検出されたと判定された場合には、表示制御装置１００は、図３のステップＳ２０２と同様に、対象物体情報を検出する（Ｓ３０２）。本実施形態に係る表示制御方法に係る処理の第３の例に係る対象物体情報としては、例えば、対象物体の形や、対象物体の属性、表示画面と対象物体との距離を示す情報などが挙げられる。
【００７５】
ステップＳ３０２の処理が行われると、表示制御装置１００は、検出された対象物体の動き量と、対象物体が動いているかを判別する基準となる基準動き量とを比較する。そして、表示制御装置１００は、対象物体の動き量と基準動き量との比較結果に基づいて、対象物体が止まっているか否かを判定する（Ｓ３０４）。より具体的には、表示制御装置１００は、例えば、対象物体の動き量が基準動き量より小さい場合（または、対象物体の動き量が基準動き量以下の場合。以下、同様とする。）に、対象物体が止まっていると判定する。ここで、本実施形態に係る基準動き量は、例えば、予め規定された固定値であってもよいし、表示制御装置１００のユーザが変更可能な可変値であってもよい。
【００７６】
ここで、本実施形態に係る対象物体の動き量は、例えば、時間的に連続している複数のフレーム（フレーム画像）に基づいて算出される。また、本実施形態に係る対象物体の動き量は、撮像画像に基づいて表示制御装置１００が算出するが、表示制御装置１００が処理に用いる対象物体の動き量は、上記に限られない。例えば、表示制御装置１００は、外部装置において算出された対象物体の動き量を示す情報を当該外部装置から取得し、取得された動き量を用いてステップＳ３０２の処理を行うことも可能である。
【００７７】
ステップＳ３０４において対象物体が止まっていると判定されない場合には、表示制御装置１００は、切り抜き領域を設定しない（Ｓ３１０）。そして、表示制御装置１００は、後述するステップＳ３１２の処理を行う。
【００７８】
また、ステップＳ３０４において対象物体が止まっていると判定された場合には、表示制御装置１００は、図３のステップＳ２０６と同様に、対象物体の一部または全部を切り抜き領域として設定する（Ｓ３０６）。
【００７９】
ステップＳ３０６の処理が行われると、表示制御装置１００は、図３のステップＳ２０８と同様に、ステップＳ３０６において設定された切り抜き領域に表示する表示内容を設定する（Ｓ３０８）。
【００８０】
ステップＳ３０８および／またはステップＳ３１０の処理が行われると、表示制御装置１００は、図３のステップＳ２１２と同様に、表示画面への画像の表示を制御する（Ｓ３１２）。
【００８１】
図５Ａ、図５Ｂは、本実施形態に係る表示制御装置１００における、本実施形態に係る表示制御方法の第３の例に係る処理の結果の一例を示す説明図である。図５Ａ、図５Ｂに示す“Ａ”は、表示対象画像の一例を示している。また、図５Ａに示す“Ｃ”、“Ｄ”は、対象物体を示している。ここで、図５Ａでは、ユーザが対象物体である場合の一例を示している。また、図５Ａは、図５Ａに示す“Ｃ”に対応するユーザが表示画面の前を走って横切っており、図５Ａに示す“Ｄ”に対応するユーザが表示画面の前で止まっている例を示している。また、図５Ｂに示す“ＡＲ３”は、図５Ａに示す“Ｄ”に対応する切り抜き領域を示している。
【００８２】
図５Ａに示す例の場合、表示制御装置１００は、ステップＳ３０４において、図５Ａの“Ｃ”に示すユーザ（対象物体の一例）は止まっていると判定しないので、図５Ａの“Ｃ”に示すユーザに対応する切り抜き領域は設定しない。また、表示制御装置１００は、ステップＳ３０４において、図５Ａの“Ｄ”に示すユーザ（対象物体の一例）は止まっていると判定するので、図５Ａの“Ｄ”に示すユーザに対応する切り抜き領域を設定する。よって、図５Ｂに示すように、表示制御装置１００は、複数の対象物体が存在する場合であっても、止まっていると判定された特定の対象物体に対して選択的に切り抜き領域が設定された画像を、表示画面に表示させることができる。
【００８３】
表示制御装置１００は、例えば図４に示す処理を行うことによって、撮像画像から検出された対象物体に対応する切り抜き領域に設定された表示内容が表示された画像を、表示画面に表示させる。ここで、図４に示す処理では、例えばステップＳ３００〜Ｓ３０６、Ｓ３１０の処理が、（１）の処理（切り抜き領域設定処理）に該当し、ステップＳ３０８の処理が（２）の処理（表示内容設定処理）に該当する。そして、ステップＳ３１２の処理が（３）の処理（表示制御処理）に該当する。
【００８４】
したがって、表示制御装置１００は、例えば図４に示す処理を行うことによって、表示画面に映る画像をみるユーザに、表示画面に表示されている表示内容が自己に対するものであると認識させることができる。
【００８５】
また、図４に示す処理を行うことによって、例えば、対象物体が動いているときには、切り抜き領域が設定されていない表示対象画像を表示し（通常の表示）、対象物体が止まったと判定された場合に、対象物体に対応する切り抜き領域に設定された表示内容を表示させることが可能となる。例えば、表示制御装置１００が表示を制御する表示画面が道路脇に設置された表示装置の表示画面であり、対象物体が車である場合には、例えば下記のようなユースケースを実現することができる。
・車が動いているときには車の切り抜き表示は行われないが、車が止まったときに当該車の前に車の形に切り抜かれた専用の表示領域（切り抜き領域）が現れ、当該表示領域内に専用の公告が表示される
【００８６】
なお、本実施形態に係る表示制御装置１００における、本実施形態に係る表示制御方法の第３の例に係る処理は、上記に示す処理に限られない。例えば、表示制御装置１００は、図４に示す本実施形態に係る表示制御方法の第３の例に係る処理と、上記本実施形態に係る表示制御方法の第１の例に係る処理（変形例も含む。以下、同様とする。）または第２の例に係る処理（変形例も含む。以下、同様とする。）とを、組み合わせた処理を行うことも可能である。
【００８７】
［４］第４の例
本実施形態に係る表示制御方法に係る処理は、上記第１の例に係る処理〜第３の例に係る処理に限られない。近年、表示とユーザの操作との双方が可能なタッチスクリーンの普及が進んでいる。よって、表示制御装置１００は、例えば、対象物体がユーザ（人間）である場合には、ユーザが操作することが可能な操作インタフェースを表示内容として選択的に設定してもよい。
【００８８】
図６は、本実施形態に係る表示制御装置１００における、本実施形態に係る表示制御方法に係る処理の第４の例を示す流れ図である。
【００８９】
表示制御装置１００は、図３のステップＳ２００と同様に、対象物体が検出されたか否かを判定する（Ｓ４００）。
【００９０】
ステップＳ４００において対象物体が検出されたと判定されない場合には、表示制御装置１００は、切り抜き領域を設定しない（Ｓ４１６）。そして、表示制御装置１００は、後述するステップＳ４１８の処理を行う。
【００９１】
また、ステップＳ４００において対象物体が検出されたと判定された場合には、表示制御装置１００は、図３のステップＳ２０２と同様に、対象物体情報を検出する（Ｓ４０２）。
【００９２】
ステップＳ４０２の処理が行われると、表示制御装置１００は、検出された対象物体に対応する面積（検出された対象物体のサイズ）Ｓと、切り抜き領域を設定する基準となる設定基準領域の面積（設定基準領域のサイズ）Ｓｍｉｎとを比較する。そして、表示制御装置１００は、図３のステップＳ２０４と同様に、面積Ｓが面積Ｓｍｉｎより大きいか否かを判定する（Ｓ４０４）。
【００９３】
ステップＳ４０４において面積Ｓが面積Ｓｍｉｎより大きいと判定されない場合には、表示制御装置１００は、切り抜き領域を設定しない（Ｓ４１６）。そして、表示制御装置１００は、後述するステップＳ４１８の処理を行う。
【００９４】
また、ステップＳ４０４において面積Ｓが面積Ｓｍｉｎより大きいと判定された場合には、表示制御装置１００は、図３のステップＳ２０６と同様に、対象物体の一部または全部を切り抜き領域として設定する（Ｓ４０６）。
【００９５】
ステップＳ４０６の処理が行われると、表示制御装置１００は、対象物体が人間であるか否かを判定する（Ｓ４０８）。ここで、表示制御装置１００は、例えば、対象物体に対して顔検出処理を行い、当該顔検出処理の結果に基づいてステップＳ４０８の処理を行うが、ステップＳ４０８の処理は、上記に限られない。例えば、ステップＳ４００の処理やステップＳ４０２の処理によって、人間と判定するための情報が得られている場合には、表示制御装置１００は、既に得られている当該情報を用いてステップＳ４０８の処理を行ってもよい。
【００９６】
ステップＳ４０８において対象物体が人間であると判定されない場合には、表示制御装置１００は、図３のステップＳ２０８と同様に、ステップＳ４０６において設定された切り抜き領域に表示する表示内容を設定する（Ｓ４１４）。
【００９７】
ステップＳ４０８において対象物体が人間であると判定された場合には、表示制御装置１００は、表示画面と対象物体との距離Ｄと、操作インタフェースを表示内容として設定する基準となる基準距離Ｄｍｉｎとを比較する。そして、表示制御装置１００は、距離Ｄが基準距離Ｄｍｉｎより大きいか否か（または、距離Ｄが基準距離Ｄｍｉｎ以上であるか否か。以下、同様とする。）を判定する（Ｓ４１０）。
【００９８】
ここで、表示制御装置１００は、例えば、ステップＳ４０２において検出された対象物体情報としての距離情報を用いることによって、距離Ｄを特定することが可能である。なお、本実施形態に係る表示制御装置１００における距離Ｄの特定方法は、上記に限られない。例えば、対象物体と表示画面との距離が小さいほど切り抜き領域の大きさが大きくなるなど、対象物体と表示画面との距離に対応関係がある場合がある。よって、表示制御装置１００は、検出された対象物体に対応する面積Ｓに基づいて距離を推定し、推定された距離を距離Ｄとしてもよい。また、本実施形態に係る基準距離Ｄｍｉｎは、例えば、予め規定された固定値であってもよいし、表示制御装置１００のユーザが変更可能な可変値であってもよい。
【００９９】
ステップＳ４１０において距離Ｄが基準距離Ｄｍｉｎより大きいと判定されない場合には、表示制御装置１００は、図３のステップＳ２０８と同様に、ステップＳ４０６において設定された切り抜き領域に表示する表示内容を設定する（Ｓ４１４）。
【０１００】
また、ステップＳ４１０において距離Ｄが基準距離Ｄｍｉｎより大きいと判定された場合には、表示制御装置１００は、ユーザが操作可能な操作インタフェースを表示内容として設定する（Ｓ４１２）。ここで、本実施形態に係る操作インタフェースとしては、例えば、ソフトウェアキーボードやボタンなどが挙げられるが、後述するユースケースに示すように、本実施形態に係る操作インタフェースは上記に限られない。また、表示制御装置１００は、上記操作インタフェースを、ステップＳ４０６において設定された切り抜き領域に表示する表示内容として設定するが、ステップＳ４１２の処理は、上記に限られない。例えば、表示制御装置１００は、ステップＳ４０６において設定された切り抜き領域以外の領域に表示する表示内容として、上記操作インタフェースを設定してもよい。
【０１０１】
ステップＳ４１２、および／または、ステップＳ４１４、および／または、ステップＳ４１６の処理が行われると、表示制御装置１００は、図３のステップＳ２１２と同様に、表示画面への画像の表示を制御する（Ｓ４１８）。
【０１０２】
表示制御装置１００は、例えば図６に示す処理を行うことによって、撮像画像から検出された対象物体に対応する切り抜き領域に設定された表示内容が表示された画像を、表示画面に表示させる。ここで、図６に示す処理では、例えばステップＳ４００〜Ｓ４０６、Ｓ４１６の処理が、（１）の処理（切り抜き領域設定処理）に該当し、ステップＳ４０８〜Ｓ４１４の処理が（２）の処理（表示内容設定処理）に該当する。そして、ステップＳ４１６の処理が（３）の処理（表示制御処理）に該当する。
【０１０３】
したがって、表示制御装置１００は、例えば図６に示す処理を行うことによって、表示画面に映る画像をみるユーザに、表示画面に表示されている表示内容が自己に対するものであると認識させることができる。
【０１０４】
また、表示制御装置１００は、ステップＳ４０８〜Ｓ４１４に示すように、対象物体がユーザ（人間）である場合には、距離Ｄと基準距離Ｄｍｉｎとの比較結果に基づいて操作インタフェースを表示内容として選択的に設定する。よって、例えば図６に示す第４の例に係る処理を行うことによって、表示制御装置１００は、例えば下記のようなユースケースを実現することができる。
・デパートなどの店舗における行先表示などにおいて、例えば図１Ｂの“Ａ”に示すように通常は切り抜き領域に各フロアの情報が表示されるが、フロアの情報を触ることによって、その位置の店舗情報に切り替わる
・店舗において、ユーザがモニタの近くを通ったときには切り抜き領域にクーポンの告知表示を行い、当該ユーザが立ち止まって表示画面の正面に顔を向けると、クーポンを取得可能な操作インタフェースが表示される
【０１０５】
なお、本実施形態に係る表示制御装置１００における、本実施形態に係る表示制御方法の第４の例に係る処理は、上記に示す処理に限られない。例えば、表示制御装置１００は、図６に示す本実施形態に係る表示制御方法の第４の例に係る処理と、上記本実施形態に係る表示制御方法の第１の例に係る処理〜第３の例に係る処理（変形例も含む。以下、同様とする。）とを、組み合わせた処理を行うことも可能である。
【０１０６】
［５］第５の例
本実施形態に係る表示制御方法に係る処理は、上記第１の例に係る処理〜第４の例に係る処理に限られない。例えば、本実施形態に係る表示制御装置１００は、複数の対象物体が検出された場合、検出された対象物体に対応する領域を選択的に結合し、結合された領域を切り抜き領域とすることも可能である。
【０１０７】
図７は、本実施形態に係る表示制御装置１００における、本実施形態に係る表示制御方法に係る処理の第５の例を示す流れ図である。
【０１０８】
表示制御装置１００は、図３のステップＳ２００と同様に、対象物体が検出されたか否かを判定する（Ｓ５００）。
【０１０９】
ステップＳ５００において対象物体が検出されたと判定されない場合には、表示制御装置１００は、切り抜き領域を設定しない（Ｓ５１４）。そして、表示制御装置１００は、後述するステップＳ５１６の処理を行う。
【０１１０】
また、ステップＳ５００において対象物体が検出されたと判定された場合には、表示制御装置１００は、図３のステップＳ２０２と同様に、対象物体情報を検出する（Ｓ５０２）。ここで、本実施形態に係る表示制御方法に係る処理の第５の例に係る対象物体情報としては、例えば、対象物体の形や、対象物体の属性、表示画面と対象物体との距離を示す情報などが挙げられる。
【０１１１】
ステップＳ５０２の処理が行われると、表示制御装置１００は、検出された対象物体の数Ｎと、結合処理を行う基準となる基準数Ｎｍｉｎとを比較する。そして、表示制御装置１００は、対象物体の数Ｎが基準数Ｎｍｉｎより大きいか否か（または、対象物体の数Ｎが基準数Ｎｍｉｎ以上であるか否か。以下、同様とする。）を判定する（Ｓ５０４）。
【０１１２】
ここで、本実施形態に係る結合処理とは、検出された対象物体それぞれに対応する領域が重なる重なり領域を含む、対象物体に対応する領域を選択的に結合する処理である。また、表示制御装置１００は、例えば、ステップＳ５０２において検出された対象物体情報としての対象物体の数の情報を用いることによって、対象物体の数Ｎを特定する。また、本実施形態に係る基準数Ｎｍｉｎは、例えば、予め規定された固定値であってもよいし、表示制御装置１００のユーザが変更可能な可変値であってもよい。
【０１１３】
ステップＳ５０４において対象物体の数Ｎが基準数Ｎｍｉｎより大きいと判定されない場合には、表示制御装置１００は、後述するステップＳ５０８の処理を行う。
【０１１４】
また、ステップＳ５０４において対象物体の数Ｎが基準数Ｎｍｉｎより大きいと判定された場合には、表示制御装置１００は、重なり領域を含む対象物体に対応する領域が選択的に結合された、結合領域を設定する（Ｓ５０６）。
【０１１５】
より具体的には、表示制御装置１００は、例えば、検出された対象物体それぞれに対応する領域が重なる重なり領域を検出する。また、表示制御装置１００は、例えば、検出された重なり領域の面積（重なり領域のサイズ）ｄＳと、複数の対象物体に対応する領域を結合する基準となる結合基準領域の面積（結合基準領域のサイズ）ｄＳｍｉｎとを比較する。そして、表示制御装置１００は、比較結果に基づいて、例えば、面積ｄＳが結合基準領域の面積ｄＳｍｉｎより大きい場合（または、面積ｄＳが結合基準領域の面積ｄＳｍｉｎ以上の場合）に、重なり領域を含む対象物体に対応する領域を選択的に結合する。例えば、重なり領域を含む対象物体に対応する各領域をｓ１、…、ｓｎ（ｎは、２以上の整数）とし、重なり領域をｄｓとすると、表示制御装置１００は、“ｓ１＋…＋ｓｎ−ｄｓ”に対応する領域を、結合領域として設定する。
【０１１６】
なお、本実施形態に係る表示制御装置１００におけるステップＳ５０６の処理は、上記に限られない。例えば、上記のように結合領域を設定した場合において、重なり領域を含まない対象物体に対応する領域が存在する場合には、表示制御装置１００は、当該領域を単独の領域としてもよいし、または、実際には結合されない当該領域を、設定された結合領域と同一の領域として扱うことも可能である。上記の場合には、表示制御装置１００は、実際には結合されていない領域に結合領域と対応する表示内容が表示された画像を、表示画面に表示させる。
【０１１７】
ステップＳ５０４、Ｓ５０６において選択的な結合領域の設定が行われると、表示制御装置１００は、図３のステップＳ２０４と同様に、検出された対象物体に対応する面積（検出された対象物体のサイズ）Ｓと、切り抜き領域を設定する基準となる設定基準領域の面積（設定基準領域のサイズ）Ｓｍｉｎとを比較する。そして、表示制御装置１００は、面積Ｓが面積Ｓｍｉｎより大きいか否かを判定する（Ｓ５０８）。ここで、ステップＳ５０６において結合領域が設定されている場合には、表示制御装置１００は、例えば、結合領域の面積を上記面積Ｓとする。また、上記のように、表示制御装置１００が、実際には結合されない領域を設定された結合領域と同一の領域として扱う場合には、表示制御装置１００は、例えば、結合領域の面積と上記実際には結合されない領域の面積とを合計した面積を、上記面積Ｓとしてもよい。
【０１１８】
ステップＳ５０８において面積Ｓが面積Ｓｍｉｎより大きいと判定されない場合には、表示制御装置１００は、切り抜き領域を設定しない（Ｓ５１４）。そして、表示制御装置１００は、後述するステップＳ５１６の処理を行う。
【０１１９】
また、ステップＳ５０８において面積Ｓが面積Ｓｍｉｎより大きいと判定された場合には、表示制御装置１００は、図３のステップＳ２０６と同様に、対象物体の一部または全部を切り抜き領域として設定する（Ｓ５１０）。
【０１２０】
なお、図７では、表示制御装置１００が、対象物体に対応する面積Ｓと設定基準領域の面積Ｓｍｉｎとの比較結果に応じて選択的に切り抜き領域を設定する例を示しているが、本実施形態に係る表示制御方法の第５の例に係る処理は、上記に限られない。例えば、表示制御装置１００は、ステップＳ５０８の処理を行わないことも可能である。
【０１２１】
ステップＳ５１０の処理が行われると、表示制御装置１００は、図３のステップＳ２０８と同様に、ステップＳ５１０において設定された切り抜き領域に表示する表示内容を設定する（Ｓ５１２）。
【０１２２】
ステップＳ５１２および／またはステップＳ５１４の処理が行われると、表示制御装置１００は、図３のステップＳ２１２と同様に、表示画面への画像の表示を制御する（Ｓ５１６）。
【０１２３】
図８Ａ、図８Ｂは、本実施形態に係る表示制御装置１００における、本実施形態に係る表示制御方法の第５の例に係る処理の結果の一例を示す説明図である。図８Ａ、図８Ｂに示す“Ａ”は、表示対象画像の一例を示している。また、図８Ａに示す“Ｅ”、“Ｆ”、“Ｇ”は、対象物体を示している。ここで、図８Ａでは、ユーザが対象物体である場合の一例を示している。また、図８Ａは、図８Ａに示す“Ｅ”〜“Ｇ”の各対象物体に対応する領域に重なり領域が存在する例を示している。また、図８Ｂに示す“ＡＲ４”は、図８Ａに示す“Ｅ”〜“Ｇ”に対応する切り抜き領域を示している。
【０１２４】
図８Ａに示すように、各対象物体に対応する重なり領域が存在する場合、表示制御装置１００は、ステップＳ５０６において結合領域を設定する。そして、結合領域が設定された場合には、表示制御装置１００は、ステップＳ５１０の処理において結合領域を切り抜き領域として設定する。よって、例えば図８Ｂに示すように、表示制御装置１００は、結合領域に対応する切り抜き領域“ＡＲ４”にステップＳ５１２において設定された表示内容が表示された画像を、表示画面に表示させることができる。
【０１２５】
表示制御装置１００は、例えば図７に示す処理を行うことによって、撮像画像から検出された対象物体に対応する切り抜き領域に設定された表示内容が表示された画像を、表示画面に表示させる。ここで、図７に示す処理では、例えばステップＳ５００〜Ｓ５１０、Ｓ５１４の処理が、（１）の処理（切り抜き領域設定処理）に該当し、ステップＳ５１２の処理が（２）の処理（表示内容設定処理）に該当する。そして、ステップＳ５１６の処理が（３）の処理（表示制御処理）に該当する。
【０１２６】
したがって、表示制御装置１００は、例えば図７に示す処理を行うことによって、表示画面に映る画像をみるユーザに、表示画面に表示されている表示内容が自己に対するものであると認識させることができる。
【０１２７】
また、表示制御装置１００は、複数の対象物体が存在する場合には、各対象物体に対応する領域を選択的に結合して、結合された結合領域を切り抜き領域として設定する。よって、表示制御装置１００は、各対象物体に対応する領域よりもより大きな切り抜き領域に表示内容が表示された画像を、表示画面に表示させることができる。
【０１２８】
なお、本実施形態に係る表示制御装置１００における、本実施形態に係る表示制御方法の第５の例に係る処理は、上記に示す処理に限られない。例えば、表示制御装置１００は、図７に示す本実施形態に係る表示制御方法の第５の例に係る処理と、上記本実施形態に係る表示制御方法の第１の例に係る処理〜第４の例に係る処理（変形例も含む。以下、同様とする。）とを、組み合わせた処理を行うことも可能である。
【０１２９】
本実施形態に係る表示制御装置１００は、本実施形態に係る表示制御方法に係る処理として、例えば上記第１の例に係る処理〜第５の例に係る処理（変形例も含む。以下、同様とする。）を行う。なお、表示制御装置１００における、本実施形態に係る表示制御方法に係る処理が、上記第１の例に係る処理〜第５の例に係る処理に限られないことは、言うまでもない。
【０１３０】
（本実施形態に係る表示制御装置）
次に、上述した本実施形態に係る表示制御方法に係る処理を行うことが可能な、本実施形態に係る表示制御装置１００の構成の一例について説明する。以下では、表示制御装置１００が、外部表示装置の表示画面における表示を制御する場合を主に例に挙げて説明する。
【０１３１】
図９は、本実施形態に係る表示制御装置１００の構成の一例を示すブロック図である。ここで、図９では、ネットワーク３００により接続された表示システム２００を併せて示している。ネットワーク３００としては、例えば、ＬＡＮやＷＡＮなどの有線ネットワーク、無線ＬＡＮや基地局を介した無線ＷＡＮなどの無線ネットワーク、あるいは、ＴＣＰ／ＩＰなどの通信プロトコルを用いたインターネットなどが挙げられる。
【０１３２】
表示システム２００は、例えば、表示を行う表示装置４００と、撮像を行う撮像装置５００とを有し、表示画面への画像の表示と表示画面の表示方向の撮像とを行う。なお、本実施形態に係る表示システム２００の構成は、図９に示す構成に限られない。例えば、表示システム２００は、表示装置４００と撮像装置５００とが一体となった装置（例えば撮像機能を有する表示装置）であってもよい。また、表示システム２００は、距離センサや赤外線センサ、物体検知センサなどの各種検出センサを有していてもよい。また、表示装置４００は、例えばタッチスクリーンなど、表示とユーザ操作とが可能なデバイスで構成されていてもよい。
【０１３３】
なお、図９では、表示制御装置１００が表示を制御する対象として、表示システム２００を構成する１つの表示装置４００を示しているが、本実施形態に係る表示制御装置１００が表示を制御する対象は、上記に限られない。例えば、表示制御装置１００は、ネットワーク３００を介して（または直接的に）接続された複数の外部表示装置それぞれの表示画面における表示を制御することもできる。
【０１３４】
図９を参照すると、表示制御装置１００は、例えば、通信部１０２と、制御部１０４とを備える。
【０１３５】
また、表示制御装置１００は、例えば、ＲＯＭ（Read  Only  Memory；図示せず）、ＲＡＭ（Random  Access  Memory；図示せず）、記憶部（図示せず）、ユーザが操作可能な操作部（図示せず）、様々な画面を表示画面に表示する表示部（図示せず）などを備えていてもよい。表示制御装置１００は、例えば、データの伝送路としてのバス（bus）により上記各構成要素間を接続する。
【０１３６】
ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０１３７】
記憶部（図示せず）は、表示制御装置１００が備える記憶機能であり、例えば、設定基準領域の面積Ｓｍｉｎなどの本実施形態に係る表示制御方法に係る処理に用いる基準値のデータや、画像データ、アプリケーションなど様々なデータを記憶する。ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）などの不揮発性メモリ（nonvolatile  memory）などが挙げられる。また、記憶部（図示せず）は、表示制御装置１００から着脱可能であってもよい。
【０１３８】
操作部（図示せず）としては、例えば後述する操作入力デバイスが挙げられ、また、表示部（図示せず）としては、例えば後述する表示デバイスが挙げられる。また、表示制御装置１００は、例えば、表示制御装置１００の外部装置としての操作入力デバイス（例えば、キーボードやマウスなど）と接続することもできる。
【０１３９】
［表示制御装置１００のハードウェア構成例］
図１０は、本実施形態に係る表示制御装置１００のハードウェア構成の一例を示す説明図である。表示制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、表示制御装置１００は、例えば、データの伝送路としてのバス１６６で各構成要素間を接続する。
【０１４０】
ＭＰＵ１５０は、例えば、ＭＰＵ（Micro  Processing  Unit）や、各種処理回路などで構成され表示制御装置１００全体を制御する制御部１０４として機能する。また、ＭＰＵ１５０は、表示制御装置１００において、例えば、後述する領域設定部１１０、表示内容設定部１１２、および表示制御部１１４の役目を果たす。
【０１４１】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１４２】
記録媒体１５６は、記憶部（図示せず）として機能し、例えば、設定基準領域の面積Ｓｍｉｎなどの本実施形態に係る表示制御方法に係る処理に用いる基準値のデータや、画像データ、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、表示制御装置１００から着脱可能であってもよい。
【０１４３】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、表示制御装置１００上に備えられ、表示制御装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、表示制御装置１００上に備えられ、表示制御装置１００の内部で入出力インタフェース１５８と接続される。表示デバイス１６２としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。なお、入出力インタフェース１５８が、表示制御装置１００の外部装置としての操作入力デバイス（例えば、キーボードやマウスなど）や、表示デバイス（例えば、表示装置４００などの外部表示デバイス）、撮像デバイス（例えば、撮像装置５００など）などの外部デバイスと接続することもできることは、言うまでもない。また、表示デバイス１６２は、例えばタッチスクリーンなど、表示とユーザ操作とが可能なデバイスであってもよい。
【０１４４】
通信インタフェース１６４は、表示制御装置１００が備える通信機能であり、ネットワーク３００を介して（あるいは、直接的に）、例えば表示装置４００や撮像装置５００、サーバなどの外部装置と無線／有線で通信を行うための通信部１０２として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられる。
【０１４５】
表示制御装置１００は、例えば図１０に示す構成によって、本実施形態に係る表示制御方法に係る処理を行う。なお、本実施形態に係る表示制御装置１００のハードウェア構成は、図１０に示す構成に限られない。
【０１４６】
例えば、表示制御装置１００は、撮像部（図示せず）の役目を果たす撮像デバイスを備えていてもよい。本実施形態に係る撮像デバイスとしては、例えば、レンズ／撮像素子と信号処理回路とから構成される撮像デバイスが挙げられる。レンズ／撮像素子は、例えば、光学系のレンズと、ＣＣＤ（Charge  Coupled  Device）やＣＭＯＳ（Complementary  Metal  Oxide  Semiconductor）などの撮像素子を複数用いたイメージセンサとで構成される。また、信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換し、各種信号処理を行う。信号処理回路が行う信号処理としては、例えば、Ｗｈｉｔｅ  Ｂａｌａｎｃｅ補正処理、色調補正処理、ガンマ補正処理、ＹＣｂＣｒ変換処理、エッジ強調処理などが挙げられる。
【０１４７】
また、表示制御装置１００は、検出部（図示せず）の役目を果たす検出センサを備えていてもよい。本実施形態に係る検出センサとしては、例えば、距離センサや、赤外線センサ、物体検知センサなど、対象物体の検出に係るセンサが挙げられる。
【０１４８】
また、表示制御装置１００が外部装置と通信を行わない場合（例えば、表示装置４００などの外部表示装置の表示画面における表示を制御せず、表示制御装置１００が備える表示部（図示せず）の表示画面における表示を制御する場合など）には、表示制御装置１００は、通信インタフェース１６４を備えない構成をとることも可能である。
【０１４９】
再度図９を参照して、本実施形態に係る表示制御装置１００の構成の一例について説明する。通信部１０２は、表示制御装置１００が備える通信手段であり、ネットワーク３００を介して（あるいは、直接的に）、表示装置４００や撮像装置５００、サーバなどの外部装置と無線／有線で通信を行う。また、通信部１０２は、例えば制御部１０４により通信が制御される。ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ネットワーク３００を介して外部装置と通信可能な任意の構成をとることができる。
【０１５０】
制御部１０４は、例えば、ＭＰＵなどで構成され、表示制御装置１００全体を制御する役目を果たす。また、制御部１０４は、例えば、領域設定部１１０と、表示内容設定部１１２と、表示制御部１１４とを備え、本実施形態に係る表示制御方法に係る処理を主導的に行う役目を果たす。
【０１５１】
領域設定部１１０は、上記（１）の処理（切り抜き領域設定処理）を主導的に行う役目を果たし、例えば表示対象画像と撮像画像とに基づいて、切り抜き領域を設定する。より具体的には、領域設定部１１０は、例えば、上述した表示制御方法に係る第１の例に係る処理〜第５の例に係る処理における、（１）の処理（切り抜き領域設定処理）に該当する処理を行うことによって、切り抜き領域を設定する。
【０１５２】
表示内容設定部１１２は、上記（２）の処理（表示内容設定処理）を主導的に行う役目を果たし、領域設定部１１０において設定された切り抜き領域内に表示する表示内容を設定する。より具体的には、表示内容設定部１１２は、例えば、上述した表示制御方法に係る第１の例に係る処理〜第５の例に係る処理における、（２）の処理（表示内容設定処理）に該当する処理を行うことによって、表示内容を設定する。
【０１５３】
表示制御部１１４は、上記（３）の処理（表示制御処理）を主導的に行う役目を果たし、領域設定部１１０において設定された切り抜き領域内に表示内容設定部１１２において設定された表示内容が表示された画像を、表示画面に表示させる。より具体的には、表示制御部１１４は、例えば、上述した表示制御方法に係る第１の例に係る処理〜第５の例に係る処理における、（３）の処理（表示制御処理）に該当する処理を行うことによって、上記画像を表示画面に表示させる。
【０１５４】
制御部１０４は、例えば、領域設定部１１０、表示内容設定部１１２、および表示制御部１１４を備えることによって、本実施形態に係る表示制御方法に係る処理を主導的に行う。なお、本実施形態に係る表示制御方法に係る処理を実現するための構成が、図９に示す制御部１０４の構成に限られないことは、言うまでもない。
【０１５５】
表示制御装置１００は、例えば図９に示す構成によって、本実施形態に係る表示制御方法に係る処理（例えば、（１）の処理（切り抜き領域設定処理）〜（３）の処理（表示制御処理））を行う。したがって、表示制御装置１００は、例えば図９に示す構成によって、表示画面に映る画像をみるユーザに、表示画面に表示されている表示内容が自己に対するものであると認識させることができる。
【０１５６】
なお、図９では、表示制御装置１００が外部表示装置である表示装置４００の表示画面における表示を制御する例を示したが、本実施形態に係る表示制御装置１００の構成は、図９に示す構成に限られない。例えば、表示制御装置１００が表示部（図示せず）を備える場合には、表示制御装置１００は、表示部（図示せず）の表示画面における表示を制御することも可能である。
【０１５７】
表示部（図示せず）の表示画面における表示を制御する場合には、表示制御装置１００は、例えば、通信部１０２を備えない構成をとることができる（いわゆるスタンドアロンの構成）。また、表示部（図示せず）の表示画面における表示を制御する場合には、表示制御装置１００は、例えば、表示部（図示せず）の表示画面の表示方向を撮像する撮像部（図示せず）を備えていてもよい。また、表示制御装置１００は、検出部（図示せず）をさらに備える構成をとることも可能である。
【０１５８】
以上のように、本実施形態に係る表示制御装置１００は、本実施形態に係る表示制御方法に係る処理として、例えば、（１）の処理（切り抜き領域設定処理）〜（３）の処理（表示制御処理）を行う。上記（１）の処理〜（３）の処理を行うことによって、表示制御装置１００は、例えば図１Ｂに示すように、撮像画像から検出された対象物体に対応する切り抜き領域に設定された表示内容が表示された画像を、表示画面に表示させる。上記のように、対象物体ごとに切り抜き領域を設定し、設定された各切り抜き領域に表示内容が表示された画像を表示画面に表示させることによって、ユーザは、表示された画像内に設定された切り抜き領域に表示された内容が、自己に対するものであるか否かをより容易に認識することが可能となる。
【０１５９】
したがって、表示制御装置１００は、表示画面に映る画像をみるユーザに、表示画面に表示されている表示内容が自己に対するものであると認識させることができる。
【０１６０】
また、例えば表示画面のサイズが大きい場合であっても、表示制御装置１００は、対象物体ごとに切り抜き領域を設定し、設定された各切り抜き領域に表示内容が表示された画像を表示画面に表示させる。よって、表示画面をみるユーザが、表示画面からの距離が大きな位置にいたとしても、また、表示画面からの距離が小さな位置にいたとしても、ユーザは、切り抜き領域に表示された内容が、自己に対するものであるか否かを認識することができる。また、仮に、ユーザが、表示画面全体を俯瞰することが困難な表示画面からの距離が小さな位置にいたとしても、表示制御装置１００は、当該ユーザに対応する切り抜き領域に当該ユーザに対する表示内容が表示された画像を表示させることができる。
【０１６１】
以上、本実施形態として表示制御装置１００を挙げて説明したが、本実施形態は、かかる形態に限られない。本実施形態は、例えば、ＰＣ（Personal  Computer）やサーバなどのコンピュータ、テレビ受像機やサイネージ装置などの表示装置、プロジェクター、映像／音楽再生装置（または映像／音楽記録再生装置）、ゲーム機など、様々な機器に適用することができる。また、本実施形態は、本実施形態に係る表示制御方法に係る処理を行う処理ＩＣ（Integrated  Circuit）に適用され、例えば、上記のような機器に組み込まれてもよい。
【０１６２】
（本実施形態に係るプログラム）
コンピュータを、本実施形態に係る表示制御装置として機能させるためのプログラム（例えば、上記（１）の処理（切り抜き領域設定処理）〜（３）の処理（表示制御処理）など、本実施形態に係る表示制御方法に係る処理を実行することが可能なプログラム）によって、表示画面に映る画像をみるユーザに、表示画面に表示されている表示内容が自己に対するものであると認識させることができる。
【０１６３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１６４】
例えば、上記では、コンピュータを、本実施形態に係る表示制御装置として機能させるためのプログラム（コンピュータプログラム）が提供されることを示したが、本実施形態は、さらに、上記プログラムをそれぞれ記憶させた記録媒体も併せて提供することができる。
【０１６５】
上述した構成は、本実施形態の一例を示すものであり、当然に、本開示の技術的範囲に属するものである。
【０１６６】
なお、以下のような構成も本開示の技術的範囲に属する。
（１）
表示画面に表示する表示対象画像と、前記表示画面の表示方向が撮像された撮像画像とに基づいて、前記表示対象画像内に切り抜き領域を設定する領域設定部と、
設定された切り抜き領域内に表示する表示内容を設定する表示内容設定部と、
設定された切り抜き領域内に設定された表示内容が表示された画像を、表示画面に表示させる表示制御部と、
を備える、表示制御装置。
（２）
前記領域設定部は、前記撮像画像から検出された対象物体に基づいて前記切り抜き領域を設定する、（１）に記載の表示制御装置。
（３）
前記領域設定部は、
検出された対象物体のサイズと、前記切り抜き領域を設定する基準となる設定基準領域のサイズとを比較し、
比較結果に基づいて前記切り抜き領域を選択的に設定する、（２）に記載の表示制御装置。
（４）
前記領域設定部は、
検出された対象物体の動き量と、対象物体が動いているかを判別する基準となる基準動き量とを比較し、
比較結果に基づいて、前記切り抜き領域を選択的に設定する、（２）または（３）に記載の表示制御装置。
（５）
前記領域設定部は、
複数の対象物体が検出された場合には、検出された対象物体それぞれに対応する領域が重なる重なり領域を検出し、
検出された重なり領域のサイズと、複数の対象物体に対応する領域を結合する基準となる結合基準領域のサイズとを比較し、
比較結果に基づいて、前記重なり領域を含む対象物体に対応する領域を選択的に結合し、
結合された結合領域を前記切り抜き領域として設定する、（２）〜（４）のいずれか１つに記載の表示制御装置。
（６）
前記領域設定部は、検出された対象物体の数と、前記重なり領域を含む対象物体に対応する領域を選択的に結合する結合処理を行う基準となる基準数とを比較し、
比較結果に基づいて、前記結合処理を選択的に行う、（５）に記載の表示制御装置。
（７）
前記表示内容設定部は、前記撮像画像から検出された対象物体のサイズに基づいて、表示内容を設定する、（２）〜（６）のいずれか１つに記載の表示制御装置。
（８）
前記表示内容設定部は、前記対象物体が人間である場合には、前記表示画面と前記対象物体との距離を示す距離情報に基づいて、ユーザが操作することが可能な操作インタフェースを表示内容として選択的に設定する、（２）〜（４）のいずれか１つに記載の表示制御装置。
（９）
前記表示内容設定部は、
前記距離情報が示す距離と、前記操作インタフェースを表示内容として設定する基準となる基準距離とを比較し、
比較結果に基づいて前記操作インタフェースを表示内容として選択的に設定する、（８）に記載の表示制御装置。
（１０）
前記表示内容設定部は、検出された対象物体の属性に基づいて、表示内容を設定する、（２）〜（７）のいずれか１つに記載の表示制御装置。
（１１）
表示画面に表示する表示対象画像と、前記表示画面の表示方向が撮像された撮像画像とに基づいて、前記表示対象画像内に切り抜き領域を設定するステップと、
設定された切り抜き領域内に表示する表示内容を設定するステップと、
設定された切り抜き領域内に設定された表示内容が表示された画像を、表示画面に表示させるステップと、
を有する、表示制御方法。
（１２）
表示画面に表示する表示対象画像と、前記表示画面の表示方向が撮像された撮像画像とに基づいて、前記表示対象画像内に切り抜き領域を設定するステップ、
設定された切り抜き領域内に表示する表示内容を設定するステップ、
設定された切り抜き領域内に設定された表示内容が表示された画像を、表示画面に表示させるステップ、
をコンピュータに実行させるためのプログラム。
【符号の説明】
【０１６７】
１００    表示制御装置
１０２    通信部
１１０    領域設定部
１１２    表示内容設定部
１１４    表示制御部
【図１Ａ】
0005914992.tif 000002
【図１Ｂ】
0005914992.tif 000003
【図２】
0005914992.tif 000004
【図３】
0005914992.tif 000005
【図４】
0005914992.tif 000006
【図５Ａ】
0005914992.tif 000007
【図５Ｂ】
0005914992.tif 000008
【図６】
0005914992.tif 000009
【図７】
0005914992.tif 000010
【図８Ａ】
0005914992.tif 000011
【図８Ｂ】
0005914992.tif 000012
【図９】
0005914992.tif 000013
【図１０】
0005914992.tif 000014